(57)【要約】【課題】画像を介して隅角組織をより良好に観察すること。【解決手段】眼科装置１は、第２プリズム１４０Ｂ、撮影光学系１００、および、制御部８０、を少なくとも有する。第２プリズム１４０Ｂは、圧迫部として、被検眼の眼球を圧迫するために利用される。撮影光学系１００は、被検眼Ｅの隅角領域の画像である隅角画像を撮影する。制御部８０は、隅角領域が動く程度の荷重で第２プリズム１４０Ｂによって眼球が圧迫された状態で、撮影光学系１００を制御して隅角画像を撮影する。このようにして撮影された隅角画像によって、隅角組織をより良好に観察することができるようになる。【選択図】図２Ｂ
2020195703.tif 000002
【特許請求の範囲】
【請求項１】
被検眼の眼球を圧迫するための圧迫手段と、
前記被検眼の隅角領域の画像である隅角画像を撮影するための撮影光学系と、
隅角領域が動く程度の荷重で前記圧迫手段によって前記眼球が圧迫された状態で、前記撮影光学系を制御して前記隅角画像を撮影する制御手段と、を備える、眼科撮影装置。
【請求項２】
前記制御手段は、
前記圧迫手段によって前記被検眼を圧迫しないで前記隅角画像を撮影するための第１撮影モードと、
前記圧迫手段によって前記被検眼を圧迫した状態で前記隅角画像を撮影するための第２撮影モードと、
の間で撮影モードを切り替える請求項１記載の眼科撮影装置。
【請求項３】
前記撮影光学系と前記圧迫手段とを含む撮影ユニットと、
前記圧迫手段に形成されており、前記被検眼の角膜に接触して圧迫するための先端部と、
前記撮影ユニットのうち、前記先端部を少なくとも含む可動部を前後方向に移動させるための移動機構と、更に有し、
前記制御手段は、前記第１撮影モードと前記第２撮影モードとの間で、前後方向に関する前記可動部の駆動制御を変更する請求項２記載の眼科撮影装置。
【請求項４】
前記先端部に対して加わる、前記被検眼から離れる向きである後退方向への荷重を検出する検出手段を有する請求項３記載の眼科撮影装置。
【請求項５】
前記制御手段は、前記荷重に基づいて前記可動部の駆動を制御し、
前記第１撮影モードと前記第２撮影モードとの間で、前記荷重の大きさに対する前記可動部の制御を変更する請求項４記載の眼科撮影装置。
【請求項６】
少なくとも前記第２モードで撮影される前記隅角画像と対応づけて、前記荷重の大きさに関する情報をモニタへ表示する、表示制御手段を有する、請求項４又は５記載の眼科撮影装置。
【請求項７】
前記制御手段は、前記第１撮影モードと前記第２撮影モードとの間で異なる撮影シーケンスで、前記隅角画像を撮影する、請求項２〜６のいずれかに記載の眼科撮影装置。
【請求項８】
前記撮影ユニットにおいて、前記被検眼を非圧迫で撮影するための前記先端部である第１先端部と、前記被検眼を圧迫した状態で撮影するための前記先端部である第２先端部と、の間で交換可能である請求項２〜７記載の眼科撮影装置。
【請求項９】
前記先端部の種別を判別するための第２検出手段を備え、
前記制御手段は、前記第２検出手段によって検出される前記先端部の種別に基づいて、前記撮影モードを切り替える請求項８記載の眼科撮影装置。
【請求項１０】
前記撮影光学系は、前記隅角画像を撮像する二次元受光素子を有し、
前記第１先端部と前記第２先端部とのいずれが装着されても、前記第１先端部と前記第２先端部とは、前記撮影光学系における前記隅角領域の結像位置を、前記二次元受光素子の受光面上に設定する、請求項２〜９の何れかに記載の眼科撮影装置。
【請求項１１】
前記撮影光学系における前記隅角領域の結像位置の変位であって、前記第１撮影モードと前記第２撮影モードとの間における変位を補正するために前記撮影光学系に含まれる光学素子を駆動する補正手段を備える、請求項２〜９のいずれかに記載の眼科撮影装置。
【請求項１２】
撮影時における前記撮影モードを特定する識別情報を、各々の前記隅角画像と対応付けて出力する、出力制御手段を有する、請求項２〜１１のいずれか記載の眼科撮影装置。
【発明の詳細な説明】
【技術分野】
【０００１】
本発明は、眼科撮影装置に関する。
【背景技術】
【０００２】
緑内障診断において、被検眼の前房隅角の組織（以下、単に「隅角」という）を観察することが有用である。例えば、従来は、ゴニオレンズを介して、隅角の表面組織における特徴部が、肉眼で観察されていた。特徴部としては、線維柱帯、Ｓｃｈｗａｌｂｅ（シュワルベ）線、強膜岬、毛様体帯、虹彩、病変等が挙げられる。また、近年では、従来ゴニオレンズ等を介して肉眼観察されていた像を、二次元画像として撮影する装置が提案されている（特許文献１参照）。
【０００３】
また、隅角検査としては、眼球を圧迫せずに隅角を観察する静的検査と、眼球を圧迫した状態で隅角を観察する動的検査と、が知られている。静的検査による肉眼観察が行われることで、狭隅角であることが確認された場合には、動的検査が更に行われる。圧迫に伴って隅角が広がるか否かによって、隅角の器質的閉塞（癒着があり隅角底が観察されない）と、機能的閉塞とが区別される。
【先行技術文献】
【特許文献】
【０００４】
【特許文献１】特表２０１７−５１７３６２号
【発明の概要】
【発明が解決しようとする課題】
【０００５】
本発明者は、動的検査に適した装置構成についての検討を行った。
【０００６】
本開示は、従来技術の問題点の少なくとも１つに鑑みてなされたものであり、画像を介して隅角組織をより良好に観察すること、を技術課題とする。
【課題を解決するための手段】
【０００７】
本開示の第一態様に係る眼科撮影装置は、被検眼の眼球を圧迫するための圧迫手段と、前記被検眼の隅角領域の画像である隅角画像を撮影するための撮影光学系と、隅角領域が動く程度の荷重で前記圧迫手段によって前記眼球が圧迫された状態で、前記撮影光学系を制御して前記隅角画像を撮影する制御手段と、を備える。
【発明の効果】
【０００８】
本開示によれば、画像を介して隅角組織をより良好に観察できる。
【図面の簡単な説明】
【０００９】
【図１】実施例における眼科撮影装置の概略構成を示した模式図である。
【図２Ａ】実施例における撮影光学系であって、第１プリズムが装着された状態（第１モードと対応）を示している。
【図２Ｂ】実施例における撮影光学系であって、第２プリズムが装着された状態（第２モードと対応）を示している。
【図３】実施例における眼科撮影装置の制御系を示した図である。
【図４】実施例における装置の動作を説明するためのフローチャートである。
【図５】撮影結果の表示態様の一例である。
【発明を実施するための形態】
【００１０】
「概要」
以下、本開示を、眼科撮影装置（図１参照）の実施形態を中心に説明する。実施形態に係る眼科撮影装置は、被検眼の隅角領域を撮影する。本実施形態では、隅角領域の画像を、隅角画像と称する。
【００１１】
眼科撮影装置は、撮影ユニット（図１参照）と、制御部と、を有していてもよい。追加的に、眼科撮影装置は、移動機構、操作入力部、および、センサ、のうち一部または全部を有していてもよい。
【００１２】
眼科撮影装置によって撮影される隅角画像は、例えば、隅角領域からの反射光に基づいて形成（撮影）された反射画像（図５参照）であってもよい。隅角領域は、被検眼の隅角、および、その近傍を含む領域であってもよい。眼科撮影装置によって撮影される隅角画像は、隅角領域の正面画像であってもよい。この場合、隅角の表面組織が隅角画像を介して観察される。但し、必ずしもこれに限られるものでは無く、隅角画像は、隅角領域の断面画像であってもよい。この場合、隅角の断面が隅角画像を介して観察される。この場合において、撮影ユニットは、ＯＣＴあってもよいし、シャインプルーフカメラであってもよい。
【００１３】
＜撮影ユニット＞
本実施形態において、撮影ユニットは、撮影光学系と、圧迫部と、を少なくとも有している。
【００１４】
＜撮影光学系＞
撮影光学系（図２Ａ，２Ｂ参照）は、隅角画像を撮影するために利用される主要な光学系である。本実施形態において、照射光学系と受光光学系とによって、撮影光学系が形成される。
【００１５】
照射光学系は、被検眼の隅角領域へ光（例えば、照明光）を投光する。また、受光光学系は、受光素子を有しており、隅角領域からの戻り光を、受光素子によって受光する。隅角画像は、受光素子からの信号に基づいて取得（撮影）される。
【００１６】
隅角画像として、正面画像を撮影する場合は、図２Ａ，２Ｂに示すように、照明光および戻り光が、被検眼において、角膜と虹彩とがなす角を分割する線（以下、「角度分割線」と称する）に沿って投受光される。
【００１７】
以下の説明では、特に断りが無い限り、１枚の隅角画像の撮影範囲は、隅角全周の一部であるものとする。但し、必ずしもこれに限られるものではなく、撮影範囲が、隅角全周に及んでいてもよい。なお、撮影範囲は、例えば、１回の撮影トリガの入力に基づいて撮影（画像化）される隅角の領域のことをいう。
【００１８】
照射光学系から投光される光の波長域は、適宜定められ得る。例えば、可視光であってもよいし、不可視光（例えば、赤外光）であってもよい。また、単色光であってもよいし、多色の光であってもよい。
【００１９】
受光光学系は、隅角領域からの反射光を受光する受光素子を、少なくとも有する。隅角画像として正面画像を撮影する場合、受光素子は、二次元的な受光面を有する二次元受光素子であってもよい。二次元受光素子は、受光面に結像される隅角の像を、隅角画像として撮影する。隅角画像の画像データは、装置の記憶装置に記憶されたり、モニタへ表示されたりしてもよい。
【００２０】
なお、撮影光学系は、必ずしも二次元受光素子を備えるものに限定されない。例えば、撮影光学系は、ラインスキャン、または、二次元スキャンタイプの光学系であってもよい。スキャン方式に応じて、ラインセンサ、および、点受光素子を、適宜、受光素子として用いることができる。また、この場合、撮影範囲に対して光をスキャン（ラインスキャンまたは二次元スキャン）することにより、スキャン毎の戻り光の受光信号に基づいて、隅角画像の画像データが生成されてもよい。
【００２１】
隅角画像の画像データは、画像の上下左右と、画像内における被写体の上下左右とが一致する正立像であってもよいし、正立像に対する鏡像または倒立像であってもよい。つまり、正立像に対して反転された画像であってもよい。
【００２２】
照射光学系および受光光学系は、撮影位置を変更する撮影位置切換部を有していてもよい。ここでいう撮影位置は、隅角全周の中での撮影範囲の位置である。撮影位置切換部によって撮影位置を切換えて繰り返し撮影を行うことにより、複数回の撮影によって、隅角全周が撮影されてもよい。撮影位置切換部は、例えば、後述の実施例に示す構成であってもよい。または、光スキャナ、固視光学系、および、アライメント調整部のうち少なくとも何れかが、撮影位置切換部として利用されてもよい。
【００２３】
撮影光学系には、対物光学系が設けられていてもよい。対物光学系は、撮影光学系において、最も被検眼側に配置され、被検眼へ照射される光または戻り光を折り曲げる。対物光学系は、ミラーおよびプリズム等のいずれかによる、反射系であってもよいし、屈折系（例えば、レンズ系）であってもよい。
【００２４】
＜圧迫部＞
圧迫部は、被検眼の眼球を圧迫するために利用される。圧迫部は、角膜に接触した状態で、角膜を押圧する部材であってもよい。また、圧迫部は、被検眼と非接触で、角膜を押圧するユニットであってもよい。この場合、圧迫部は、流体（気体および液体）や、超音波を、角膜に対して射出することで、角膜を非接触で押圧してもよい。このとき、圧迫部から被検眼へ加わる荷重は、圧迫に伴い隅角が動く範囲で適宜設定され得る。
【００２５】
撮影ユニットにおいて、被検眼の角膜と近接する箇所を、先端部と称する。少なくとも圧迫部には、先端部が含まれる。先端部は、対物光学部の一部を形成する、光学素子であってもよい。例えば、対物光学部における被検眼側の表面であってもよい。但し、必ずしもこれに限られるものではなく、先端部は、対物光学部と別体であってもよい。
【００２６】
被検眼を非圧迫で撮影する場合と、被検眼を圧迫した状態で撮影する場合と、の間で、所望の隅角領域についての、撮影光学系における隅角領域の結像位置が、変位してしまう場合が考えられる。特に、先端部が対物光学部の一部である場合は、このような変位が生じやすい。これに対し、本実施形態では、撮影光学系における隅角領域の結像位置の変位を、撮影光学系に含まれる１つ、又は、複数の光学素子を駆動（移動）することで補正可能であってもよい。例えば、光学素子を駆動することで、撮像面の位置、または、その共役位置が変位可能であってもよい。光学素子を駆動する駆動部は、例えば、光学素子の位置を変位させてもよいし、光学素子を光路に対して挿脱してもよい。より具体的には、駆動部によって、撮像光学系における撮像素子を移動されてもよいし、途中のレンズ、ミラー等が移動されてもよい。
【００２７】
圧迫部が角膜に接触する場合、圧迫部全体、又は、圧迫部のうち少なくとも先端部は、撮影ユニットから着脱可能であってもよい。これにより、角膜と接触する箇所の清掃および滅菌が容易となる。なお、この場合において、被検眼を非圧迫で撮影するための先端部である第１先端部と、被検眼を圧迫した状態で撮影するための先端部である第２先端部と、の間で、撮影ユニットに装着される先端部が交換可能であってもよい（図２Ａ，２Ｂ参照）。
【００２８】
第１先端部および第２先端部が、対物光学部に対して交換して着脱可能な、対物光学部の一部を形成する光学素子である場合、第１先端部および第２先端部との光学的な特徴は互いに異なっていてもよい。例えば、第１先端部と第２先端部とは、交換されることで、撮影光学系における隅角領域の結像位置を、被検眼を非圧迫で撮影する場合（後述の第１撮影モード）と、被検眼を圧迫した状態で撮影する場合（後述の第２撮影モード）との間で変位させない、特徴を有していてもよい。この場合において、変位がゼロである必要は無い。例えば、撮影光学系が二次元受光素子を有する場合、第１先端部と第２先端部とのいずれが装着されても、第１先端部と第２先端部とは、撮影光学系における隅角領域の結像位置を、二次元受光素子の受光面上に設定するものであってもよい。この場合、被検眼を非圧迫で撮影する場合と、被検眼を圧迫した状態で撮影する場合との両方で、隅角領域が良好に撮影され得る。
【００２９】
また、眼科撮影装置は、第１先端部と第２先端部とのうちいずれが装着されているかを検出可能であってもよい。例えば、先端部の装着箇所に、先端部の種別を区別して検出するセンサを有していてもよい。また、先端部における撮影ユニットから投受光される光の光路上に、先端部の種別に応じた指標を有していてもよい。該指標を撮影し、画像中に含まれる指標を判別することによって、先端部の種別を検出してもよい。
【００３０】
＜移動機構＞
移動機構は、後退方向への荷重が先端部に対して加わることによって、撮影ユニットの少なくとも一部を後退方向へ荷重に応じて移動させる。
【００３１】
便宜上、以下では、撮影ユニットのうち、移動機構によって後退される部分を、「可動部」と称する。可動部が、撮影ユニットの一部である場合、可動部には、少なくとも先端部が含まれてもよい。また、撮影光学系が、テレセントリック光学系を含む場合、光束がテレセントリックとなっている箇所を境として、境から被検眼側の部材が、可動部として変位可能であってもよい。勿論、これに限らず、光学系の一部が可動部として移動されてもよい。
【００３２】
先端部が被検眼と接触した際に、先端部から被検眼へ瞬間的に加わる力が、移動機構によって可動部が移動されることで低減される。なお、ここでいう、後退方向は、被検眼から離れる向きである。また、後退方向の反対方向を、前進方向と称する。
【００３３】
移動機構は、種々の機構の中からいずれかを選択的に適用できる。例えば、移動機構は、レールを備えたスライド機構であってもよいし、すべりねじ（送りねじ）を備えた機構であってもよいし、その他であってもよい。移動機構は、制御信号に基づいて可動部を駆動制御するための駆動部を備えていてもよい。
【００３４】
＜制御部＞
制御部は、眼科撮影装置の動作を司る。制御部は、少なくとも撮影ユニットを制御する（図３参照）。更に、制御部は、移動機構を制御してもよい。
【００３５】
本実施形態において、制御部は、被検眼が圧迫部によって圧迫された状態で、隅角画像を撮影する。よって、従来では圧迫隅角鏡を介して肉眼観察していた圧迫時の隅角の状態を、隅角画像を介して検者が観察できる。
【００３６】
＜モード切換＞
制御部は、撮影モードを、第１撮影モードと第２撮影モードとの間で切り替えてもよい。第１撮影モードは、圧迫部によって被検眼を圧迫しないで隅角画像を撮影するために設定される。第２撮影モードは、圧迫部によって被検眼を圧迫した状態で隅角画像を撮影するために設定される。第１撮影モードと第２撮影モードとの間で、制御部は、撮影光学系の切換制御、アライメント制御、撮影の際における前後方向に関する可動部の駆動制御、および、撮影制御等のうち、少なくともいずれかを変更してもよい。
【００３７】
＜撮影光学系の切換制御＞
第１撮影モード（被検眼を非圧迫で撮影する場合）と、第２撮影モード（被検眼を圧迫した状態で撮影する場合）と、の間で、所望の隅角領域についての、撮影光学系における隅角領域の結像位置が、変位してしまう場合は、制御部は、撮影光学系に含まれる１つ、又は、複数の光学素子を駆動（移動）することで補正してもよい。
【００３８】
＜各モードにおける可動部の駆動制御＞
例えば、（少なくとも第２撮影モードにおいて）先端部が被検眼の角膜に接触して圧迫する際に、前後方向に関する可動部の駆動制御が、第１撮影モードと第２撮影モードとの間で変更されてもよい。このとき、眼底撮影装置は、先端部に対する後退方向（被検眼から離れる向き）の荷重を検出するためのセンサを備えていてもよく、更には、制御部は、先端部に対して加わる荷重に応じて、可動部が制御されてもよい。例えば、第１撮影モードと第２撮影モードとの間で、荷重の大きさに対する可動部の制御が変更されてもよい。より詳細には、制御部は、第１撮影モードでは第２撮影モードと比べてより少ない荷重で可動部がより大きく後退されるように、可動部を制御してもよい。これにより、第１撮影モードでは、被検眼が非圧迫で隅角画像が撮影されやすくなると共に、第２撮影モードでは、被検眼が適切な圧力で圧迫した状態で隅角画像が撮影されやすくなる。
【００３９】
また、第２撮影モードでは、先端部を介して角膜を押圧するときに、角膜から先端部が受ける荷重が所定の範囲となるように、センサからの検出信号に基づいて、可動部の位置が制御されてもよい。先端部が受け得る荷重の範囲が、隅角を広げるうえで適切な範囲で予め設定されていることで、眼球が圧迫された状態で撮影された隅角画像を介して、被検眼の隅角に、器質的閉塞（癒着があり隅角底が観察されない）と、機能的閉塞とのいずれが生じているかを、検者が良好に確認できる。
【００４０】
また、少なくとも第２モードで隅角画像を撮影する際、荷重の大きさに関する情報を、リアルタイムにモニタへ表示してもよい。これにより、検者は、被検眼が過度に圧迫されないように、注意しながら撮影を進めることができる。
【００４１】
また、第２モードで撮影された隅角画像には、撮影時に検出された荷重の大きさに関する情報が、隅角画像と対応付けて保存（メモリへ記憶）されてもよい。そして、第２モードで撮影された隅角画像を表示する際に、制御部は、隅角画像と共に、隅角画像対応する荷重の大きさに関する情報をモニタへ表示させてもよい。これによって、例えば、隅角画像が、適正な荷重でに圧迫された状態で撮影された画像か否かを、検者が容易に把握できる。
【００４２】
＜各モードにおける撮影制御＞
また、第１撮影モードと第２撮影モードとの間で、制御部は、撮影ユニットによる撮影制御を切換えることによって、制御部は、第１撮影モードと第２撮影モードとの間で異なる撮影シーケンスを実行し、隅角画像を撮影してもよい。撮影シーケンスは、例えば、取得する隅角画像の枚数、および、撮影位置、のいずれか又は両方を特定するものであってもよい。追加的に、撮影シーケンスは、光量、露光時間、およびゲイン等の撮影条件を特定するものであってもよい。
【００４３】
例えば、第２撮影モードでは、第１撮影モードに対し、より多数の隅角画像を、１つの隅角領域から撮影してもよい。例えば、第１撮影モードでは、隅角を非圧迫な状態（つまり、先端部に加わる荷重がゼロの状態）だけで撮影するのに対し、第２撮影モードでは、先端部に加わる荷重が異なる複数の圧迫状態で隅角画像を撮影してもよい。より詳細には、第２撮影モードでは、隅角を圧迫する前後において２枚以上の隅角画像を、隅角領域毎に撮影してもよいし、圧迫する前後における隅角の様子を動画として撮影してもよい。
【００４４】
また、例えば、第１撮影モードでは、隅角全周に渡って隅角画像を撮影するモードであって、第２撮影モードでは、隅角全周のうち一部における隅角画像を撮影するモードであってもよい。例えば、まず、第１撮影モードにおいて隅角全周を撮影してから、全周の撮影結果（全周分の隅角画像）を、モニタに表示してもよい。次に、制御部は、モニタに表示された隅角画像を介して、第２撮影モードで撮影する位置についての指示を、操作入力に基づいて受け付けてもよい。第２撮影モードに移行後、制御部は、操作入力に基づいて指示された撮影位置において、眼球を圧迫した状態で隅角画像を撮影してもよい。
【００４５】
このように、第１撮影モードと第２撮影モードとの間で、制御部は、撮影ユニットによる撮影制御が切替わることで、被検眼が圧迫されるとき、されないとき、のそれぞれで、良好に隅角画像が撮影されやすくなる。
【００４６】
＜先端部の種別に応じた撮影モードの自動設定＞
前述のように、第１先端部（非圧迫での撮影用）と、第２先端部（圧迫状態での撮影用）と、の間で、撮影ユニットに装着される先端部が交換可能であって、いずれが装着されているかを検出可能である場合、制御部は、検出結果に基づいて、第１撮影モードと第２撮影モードとのうち何れかを設定してもよい。これにより、撮影ユニットに装着された先端部の種類と、撮影モードとが食い違った状態で撮影が行われることを抑制できる。結果、撮影ミスを軽減できる。
【００４７】
「実施例」
以下、図面を参照して、本開示に係る眼科撮影装置の実施例を示す。実施例に係る眼科撮影装置１は、隅角撮影装置である。眼科撮影装置１は、被検眼の隅角画像を撮影する。
【００４８】
＜装置構成＞
図１を参照して、眼科撮影装置１における概略的な装置構成を説明する。なお、以下の説明では、各図におけるＸ方向を左右方向、Ｙ方向を上下方向、Ｚ方向を前後方向として説明する。
【００４９】
図１に示した眼科装置１は、撮影ユニット１０、後退機構２０（本実施例における「移動機構」）、アライメント機構４，５、を有する。また、本実施例では、眼科装置１は、基台３、顔支持ユニット６、ジョイスティック７、モニタ８、等を有する。
【００５０】
撮影ユニット１０は、撮影光学系１００（図２Ａ，図２Ｂ参照）を有する。撮影光学系１００は、先端部１４０として配置されるプリズムを介して投受光することで、隅角画像を撮影する。撮影光学系１００の詳細については、（図２Ａ，図２Ｂ参照）を参照して後述する。
【００５１】
実施例において、撮影ユニット１０は、カバー１０ａ内に収容される。図１に示すように、先端部１４０は、カバー１０ａから突出するようにして、露出されてもよい。
【００５２】
モニタ８は、例えば、撮影ユニット１０を介して撮影された隅角画像を表示する。
【００５３】
基台３は、アライメント機構４，５、および、顔支持ユニット６を、支持する。
【００５４】
アライメント機構４，５は、移動台４と、Ｙ駆動部５とに大別される。移動台４は、基台３の上に配置される。検者は、ジョイスティック７を操作することによって、移動台４を基台３に対して移動可能である。Ｙ駆動部５は、移動台４の上に更に積載され、後退機構２０および撮影ユニット１０を支持する。Ｙ駆動部５は、後退機構２０と共に、撮影ユニット１０をＹ方向に移動させる。それぞれのアライメント機構４，５は、制御部８０（図３参照）からの制御信号に基づいて、駆動されてもよい。
【００５５】
後退機構２０は、先端部１４０に対して後退方向への荷重が加わることによって、撮影ユニット１０を、後退方向へ荷重に応じて移動させる。本実施例において、後退機構２０は、撮影ユニット１０全体を、一体的に後退させる。本実施例の後退機構２０は、制御信号に基づいて後退を制御するための駆動部を備える。
【００５６】
＜撮影光学系＞
次に、図２Ａ，図２Ｂを参照して、撮影光学系１００を説明する。ここで、図２Ａは、被検眼Ｅを非圧迫で撮影する場合における光学系を示しており、図２Ｂは、被検眼Ｅを圧迫した状態で撮影するための光学系を示している。
【００５７】
本実施例の撮影光学系１００は、先端部１４０（第１プリズム１４０Ａ、又は、第２プリズム１４０Ｂ）と、切換部１３０と、撮像素子１６０と、を有する。また、隅角撮影装置１００は、光源１１０と、フォーカス調整部１５０と、を有する。
【００５８】
本実施例において、先端部１４０には、交換可能なプリズムが用いられる。プリズムは、撮影光学系における対物光学系であって、照明光を隅角領域に向けて折り曲げる。
【００５９】
一例として、第１プリズム１４０Ａ（図２Ａ参照）および第２プリズム１４０Ｂ（図２Ｂ参照）の間で、交換される。図２Ａでは、第１プリズム１４０Ａ（図２Ａ参照）が装着されており、図２Ｂでは、第２プリズム１４０Ｂが装着されている。眼科撮影装置１は、第１プリズム１４０Ａおよび第２プリズム１４０Ｂのうちいずれが装着されているかを検出するためのセンサ１７０を、更に有していてもよい。
【００６０】
図２Ａに示すように、被検眼Ｅを非圧迫で撮影する場合は、被検眼Ｅとプリズム１４０Ａの先端との間に間隔を開けた状態で、隅角画像を撮影できる。このとき、被検眼Ｅとプリズム１４０Ａの間隔には、ゲルＧが介在されていてもよい。ゲルＧは、隅角領域からの戻り光における角膜界面での全反射を抑制するうえで有用である。
【００６１】
一方、図２Ａに示すように、被検眼Ｅを圧迫した状態で撮影する場合は、角膜へプリズム１４０Ｂを接触させた状態で、隅角画像が撮影される。第２プリズム１４０Ｂは、圧迫部を兼用しており、プリズム１４０Ｂの前面（実施例における第１面）が角膜へ押し当てられることで、眼球が圧迫される。この場合においても、事前に、ゲルＧが角膜に塗布されていてもよい。ゲルＧによって、圧迫状態において角膜と第２プリズム１４０Ｂの前面との隙間が埋められてもよい。また、ゲルＧは、第２プリズム１４０Ｂと角膜との間で生じる摩擦を軽減するうえで有用である。
【００６２】
それぞれのプリズム１４０Ａ，１４０Ｂにおける光学的な特徴については後述する。
【００６３】
光源１１０は、隅角に照射される照明光の光源である。本実施例において、光源１１０は、可視光を出射する。以下の説明では、隅角画像をカラー画像として得るために、波長域が異なる複数色の光（例えば、白色光）を少なくとも出射可能であるものとする。
【００６４】
光源１１０からの照明光は、ビームスプリッタ１２０によって反射され、切換部１３０に向かう。このとき、照明光の反射光は、固視光軸Ｌ１に沿って切換部１３０に導かれる。なお、ビームスプリッタ１２０は、撮影光学系１００における照明光の投光経路と受光経路とを分離する。ビームスプリッタ１２０としては、ハーフミラー、穴開きミラー等が用いられてもよい。
【００６５】
切換部１３０は、隅角の全周の中で反射画像の撮影位置を変位させるユニットである。切換部１３０が設けられていることで、隅角の全周における複数の撮影位置において隅角の反射画像を撮影できる。本実施例において、切換部１３０は、ミラー１３１，１３２と、モーター１３３（図３参照）と、を有する。切換部１３０は、制御部１７０からの制御信号に基づいて駆動され、その結果として、撮影光軸Ｌ２が固視光軸Ｌ１周りに回転される。
【００６６】
図２Ａ，図２Ｂに示した２枚のミラー１３１，１３２は、平行に配置されており、照明光の光路中心を固視光軸Ｌ１に対して所定間隔だけ、シフトする。図示無き駆動源によって、ミラー１３１，１３２が固視光軸Ｌ１を中心に回転されることで、切換部１３０から先端部１４０（第１プリズム１４０Ａ、又は、第２プリズム１４０Ｂ）への照明光の照射光路の位置が変位される。
【００６７】
それぞれのプリズム１４０Ａ，１４０Ｂは、照明光を、固視光軸Ｌ１側に折り曲げる反射面を持つ。反射面によって反射された照明光の光軸を、固視光軸Ｌ１に対して大きく傾斜するように折り曲げて、装置外部に導く。このとき、装置外部へ導かれる光軸が、撮影光軸Ｌ２として利用される。
【００６８】
本実施例において、それぞれのプリズム１４０Ａ，１４０Ｂには、複数の反射面が、固視光軸Ｌ１の周りに並んで形成されている。このようなプリズム１４０Ａ，１４０Ｂは、固視光軸Ｌ１と直行する断面が、正多角形であってもよい。例えば、１６枚の側面を有するプリズムであって、被検眼Ｅからみて、０°、２２．５°、４５°、６７．５°、９０°・・・（中略）…３３７．５°の各方向に、固視光軸Ｌ１に向けられた反射面が配置されていてもよい。制御部１７０は、切換部１３０を制御し、照明光が導かれる面を、１６枚の反射面のうちいずれか１つに選択することで、隅角全周において各々の反射面と対応する撮影位置へ照明光を導くことができる。
【００６９】
第１プリズム１４０Ａは、前面と角膜との間に所定間隔を空けた状態で、所定の隅角領域からの戻り光が照明光の投光経路（撮影光軸Ｌ２）を辿るように、反射面によって戻り光を反射する。また、第２プリズム１４０Ｂは、前面で角膜を圧迫した状態で、所定の隅角領域からの戻り光が照明光の投光経路（撮影光軸Ｌ２）を辿るように、反射面によって戻り光を反射する。このとき、それぞれのプリズム１４０Ａ，１４０Ｂで反射される反射光は、それぞれのプリズム１４０Ａ，１４０Ｂの後面を介して、撮像素子１６０側へ導かれる。つまり、本実施例では、第１プリズム１４０Ａおよび第２プリズム１４０Ｂとが交換されても、撮影光学系１００における隅角領域の結像位置が、変位されなくなる。よって、被検眼Ｅを非圧迫で撮影する場合と、被検眼Ｅを圧迫した状態で撮影する場合と、の両方で、隅角画像を良好に撮影できる。各プリズム１４０Ａ，１４０Ｂの形状、および、硝材の屈折率等は、上記のように投受光できるように、適宜定められていてもよい。
【００７０】
隅角領域からの反射光は、第１プリズム１４０Ａ、又は、第２プリズム１４０Ｂ、および、切換部１３０を遡って、ビームスプリッタ１２０に導かれる。ビームスプリッタ１２０を撮像素子１６０側に通過した照明光は、フォーカシングレンズ１５１を経由して、撮像素子１６０によって受光される。その結果、図５に示すような隅角の反射画像が撮影される。
【００７１】
フォーカシングレンズ１５１は、隅角撮影装置１００におけるフォーカス調整部の一部である。フォーカシングレンズ１５１を光軸に沿って移動させる駆動部１５２が、隅角撮影装置１００には設けられている。フォーカシングレンズ１５１に代えて、撮像素子１６０を光軸方向へ移動させることでフォーカスが調整されてもよいし、他の手法でフォーカスが調整されてもよい。
【００７２】
＜制御系＞
次に、図３を参照して、制御系を説明する。眼科撮影装置１は、制御部（プロセッサ）８０を備える。制御部８０によって、装置全体の制御処理および各種演算処理が実行される。制御部８０は、ＣＰＵ、ＲＯＭ、ＲＡＭ等を含んでいてもよい。ＲＡＭには、例えば、撮影および測定に用いる一時データが格納される。
【００７３】
制御部８０は、例えば、バス等を介して、アライメント機構４，５、ジョイスティック７、モニタ８、駆動部２０、光源１１０、モーター１３３、駆動部１５２、受光素子１６０、記憶装置８１、操作部８５、等と接続される。
【００７４】
記憶装置８１は、書き換え可能な不揮発性の記憶装置である。記憶装置８１としては、ハードディスク、フラッシュメモリ、ＵＳＢメモリ等の種々の記憶装置が適用可能である。また、記憶装置８１には、例えば、眼科撮影装置１に撮影動作等の各種動作を実行させるためのプログラムが、少なくとも格納されていてもよい。
【００７５】
眼科撮影装置１によって撮影される隅角画像は、記憶装置８１に保存されてもよい。また、モニタ８において表示されてもよい。
【００７６】
操作部８５は、眼科撮影装置１における入力インターフェイスである。操作部８５への操作に応じた指示が、制御部８０に入力される。操作部８５としては、例えば、マウス、および、タッチパネル等のポインティングデバイスであってもよいし、キーボードであってもよい。また、ジョイスティック７が、操作部８５の１つとして利用されてもよい。
【００７７】
＜動作説明＞
次に、図４に示したフローチャートに基づいて、装置の動作を説明する。
【００７８】
初めに、第１プリズム１４０Ａと第２プリズム１４０Ｂとのうち、いずれかが、検者によって着脱される。このとき、第１プリズム１４０Ａを装着する場合は、検者によって、ゲルＧがプリズムの前面に塗布される。所望のプリズムが装着された後に、被検者の顔が、顔支持ユニット６によって支持される。
【００７９】
撮影光学系１００に対して、いずれのプリズムが装着されたかが、センサ１７０の出力信号に基づいて検出される。制御部８０は、プリズムの種類に応じた撮影モードを設定する。第１プリズム１４０Ａが装着されている場合、制御部８０は、撮影モードを第１モードへ設定する。一方、第２プリズム１４０Ｂが装着されている場合、制御部８０は、撮影モードを第２モードへ設定する。よって、本実施例では、装着されるプリズムに応じて、自動的に撮影モードが切換えられる。
【００８０】
＜第１モード＞
第１モードでは、眼球を圧迫しないで撮影が行われる。例えば、本実施例では、アライメントの結果、第１プリズム１４０Ａと角膜とは、数ｍｍの間隔を空けて配置される。なお、アライメントの具体的な手法については、本出願人による特開2018-89356号公報等を参照されたい。
【００８１】
適正作動距離は数ｍｍと短いので、被検者の顔が動いてしまうことで、第１プリズム１４０Ａへ角膜が接触しやすいことが考えられる。これに対し、第１モードでは、荷重センサ２０ｂによって第１閾値Ｔ１以上の荷重が検出された場合に、制御部８０は、撮影ユニット１０が後退するように駆動部２０ｂを制御する。これにより、第１モードでは、眼球を圧迫しない状態で隅角画像が撮影されやすい。なお、第１閾値Ｔ１は、第２モードにおける第２閾値Ｔ２よりも十分に小さな値である。
【００８２】
アライメント完了後、例えば、レリーズ操作が入力されると、隅角画像が撮影される。隅角領域は高低差が大きいので、制御部８０は、フォーカシングレンズ１５１を制御して、合焦位置を変位させつつ、１枚又は複数枚の隅角画像を、１つの撮影位置に対して撮影してもよい。フォーカス状態が互いに異なる複数枚の隅角画像が撮影された場合、制御部８０は、複数枚の画像を合成して、広範囲に焦点が合った画像を生成してもよい。また、複数枚の画像のうちいずれかが、撮影位置を代表する画像として取り扱われてもよい。制御部８０は、切換部１３０を制御して撮影位置を変えつつ、撮影を繰り返すことで、隅角全周における複数位置の隅角画像を撮影してもよい。撮影された隅角画像は、メモリ８１へ記憶される。各々の隅角画像は、例えば、撮影位置を示す情報と対応付けて、メモリ８１へ記憶される。
【００８３】
＜第２モード＞
第２モードでは、眼球を圧迫した状態で撮影が行われる。例えば、本実施例では、アライメントの結果、第２プリズム１４０Ｂと角膜とが、軽く接触される。撮影の際に、被検者の顔が逃げないように、検者が頭部を押さえてもよいし、図示なきバンド等を用いて頭部を顔支持ユニットへ固定してもよい。第２モードでは、荷重センサ２０ｂによって検出される、荷重の値（荷重の大きさに関する情報の一例）が、リアルタイムにモニタへ表示されるようになる。検者は、荷重の値を確認しつつ撮影を進める。眼球が強めに圧迫されているときは、被検者の頭部を押さえる力を弱める等、適宜対応する。
【００８４】
このとき、荷重の値が適正範囲内（詳細は後述）である場合と、適正範囲外である場合とを識別するための表示制御が行われてもよい。例えば、適正範囲内である場合と、適正範囲外である場合との間で、荷重の値を示すグラフィックの色を切換えてもよい。これにより、眼球が強めに圧迫されている場合に検者が対応しやすくなる。
【００８５】
本実施例では、レリーズ操作が入力されると、制御部８０は、駆動部２０ａを駆動し、撮影ユニット１０をわずかに前進させたうえで、隅角画像が撮影される。前進の結果、第２プリズム１４０Ｂによって眼球が圧迫される。
【００８６】
第２モードでは、荷重センサ２０ｂによって第２閾値Ｔ２以上の荷重が検出された場合に、制御部８０は、撮影ユニット１０の可動部が後退するように駆動部２０ｂを制御する。また、このとき、荷重センサ２０ｂによって第２閾値Ｔ２未満、且つ、第３閾値Ｔ３以上の荷重が検出されるように、駆動部２０ｂが制御されてもよい。なお、第２閾値Ｔ２および第３閾値Ｔ３は、いずれも、前述の第１閾値Ｔ１と比べて大きな値である。また、第２閾値Ｔ２および第３閾値Ｔ３は、隅角を広げるために十分な大きさの値である。このような制御によって、第２モードでは、圧迫によって被検眼へ過度な負担をかけることなく、眼球を圧迫した状態で隅角画像が良好に撮影される。
【００８７】
このとき、第１モードと同様に、制御部８０は、フォーカシングレンズ１５１を制御して、合焦位置を変位させつつ、１枚又は複数枚の隅角画像を、１つの撮影位置に対して撮影してもよい。各々の隅角画像は、例えば、第１モードと同様に、撮影位置を示す情報と対応付けて、メモリ８１へ記憶される。更に、第２モードで撮影される隅角画像には、撮影時に検出された荷重の値（荷重の大きさに関する情報の一例）が対応付けられてメモリ８１へ記憶される（つまり、メモリへ出力される）。
【００８８】
撮影動作中に、荷重の値が適正範囲（例えば、第２閾値Ｔ２未満、且つ、第３閾値Ｔ３以上）から外れてしまった場合、制御部８０は、その旨を報知する報知動作を実行してもよいし、再撮影を実行してもよい。報知動作は、「撮影エラー」等のテキストをモニタ８へ表示するものであってもよいし、音声ガイダンスを行うものであってもよい。
【００８９】
＜撮影結果の表示＞
第１モードおよび第２モードで撮影された隅角画像は、モニタ８上に同時に表示されてもよい。また、それぞれのモードで撮影された隅角画像が、選択的にモニタ８上に表示されてもよい。
【００９０】
図５は、同時表示の一例を示している。図５では、同一の撮影位置で撮影された２枚の隅角画像２００，３００が、隣り合わせで並べられている。２枚のうち一方の隅角画像２００は、第１モードで撮影された画像であり、他方の隅角画像３００は、第２モードで撮影された画像である。
【００９１】
一例として、撮影方法の識別表示が、それぞれの隅角画像２００，３００と対応付けて表示される。一例として、図５では、第１モードで撮影された隅角画像２００には、「ｓｔａｔｉｃ」の文字が付され、第２モードで撮影された隅角画像３００には、「ｄｙｎａｍｉｃ」の文字が付される。
【００９２】
図５に示すように、第２撮影モードで撮影された隅角画像３００には、撮影時の荷重の値（一例として「○○ｇ」の文字）が、対応付けて表示出力される。これによって、適正な荷重が加えられて撮影された画像か否かを、検者が容易に把握できる。
【００９３】
ところで、本実施例では、第１撮影モードと第２モードとの間では、プリズムの形状および作動距離等の光学系の条件が異なっているので、各モードで撮影される隅角画像の間には、倍率の違い、および、歪み（例えば、台形歪み等）、が存在する場合が考えられる。そこで、２枚の隅角画像２００，３００を表示するうえで、事前に、倍率の違い、および、歪みが、制御部８０によって補正されていてもよい。第１撮影モードと第２モードとの間における光学系の条件の違いによる、倍率の違い、および、歪みが補正されることで、２枚の隅角画像２００，３００を良好に見比べやすくなる。
【００９４】
また、例えば、制御部８０は、２枚の隅角画像２００，３００を比較する画像処理を実行してもよい。隅角画像では、隅角組織を構成する複数の組織が、層状（縞状）に描画される。縞状の画像の中から、隅角底と対応する領域を検出したうえで、２枚の隅角画像の両方で隅角底が途切れている（隠れている）位置を特定してもよい。特定された位置では、器質的な閉塞（癒着があり隅角底が観察されない）が生じている可能性がある。そこで、例えば、２枚の隅角画像の一方または両方において、上記特定された位置へ、マーカが付されてもよい。これにより、検者が、器質的な閉塞が生じている位置を発見しやすくなる。
【００９５】
なお、本実施例では、１つの撮影位置で撮影された隅角画像が、モニタ８上に表示されるが、複数の撮影位置でそれぞれ撮影された複数の隅角画像が、モニタ８上に表示されてもよい。複数の隅角画像は、コラージュ画像として表示されてもよい。これにより、広範囲における隅角の状態をまとめて確認できる。
【００９６】
なお、上記した実施形態は単なる例示にすぎず、本開示を何ら限定するものではなく、その要旨を逸脱しない範囲内で種々の改良、変形が可能である。
【００９７】
また、本開示は、以下のような光学素子の実施態様を開示している。すなわち、光学素子は、被検眼の角膜と接触しつつ圧迫するための第１面と、前記第１面と対向して形成された第２面と、前記第１面と前記第２面との間に形成される反射面と、を有する光学素子であって、入射した光束を受光素子へと導く受光光軸を持ち前記受光素子からの信号に基づいて被検眼の隅角領域を撮影する撮影光学系、における対物光学部として、前記光学素子は、着脱可能であり、前記撮影光学系に装着された状態で、前記反射面は、前記第１面を介して入射した前記隅角領域からの光線を、前記第２面を介して前記受光光軸に沿うように反射する。
【符号の説明】
【００９８】
１          眼科装置
８０        制御部
１００      撮影光学系
１４０Ｂ    第２プリズム
Ｅ          被検眼
【図１】
2020195703.tif 000003
【図２Ａ】
2020195703.tif 000004
【図２Ｂ】
2020195703.tif 000005
【図３】
2020195703.tif 000006
【図４】
2020195703.tif 000007
【図５】
2020195703.tif 000008